【手続補正書】
【提出日】平成21年6月24日(2009.6.24)
【手続補正１】
【補正対象書類名】明細書
【補正対象項目名】全文
【補正方法】変更
【補正の内容】
【書類名】              明細書
【発明の名称】        フィルム巻取機構付作物収穫機
【特許請求の範囲】
【請求項１】機体の左右一側に収穫作業部への動力伝達を断続させるための操作レバーを有し、機体の走行中に、圃場に植えられた作物を収穫作業部で収穫するフィルム巻取機構付作物収穫機に於いて、圃場上に存在するマルチフィルムを巻き取るためのフィルム巻取装置を前記操作レバーの存在する側に設け、このフィルム巻取装置への動力伝達が収穫作業部から動力を伝達されることを特徴とするフィルム巻取機構付作物収穫機。
【請求項２】機体前部の地上高さを調整するためのゲージ輪を機体一側に備えると共に圃場に植えられた作物を走行しながら収穫するフィルム巻取機構付作物収穫機に於いて、前記ゲージ輪の存在しない機体他側に、圃場上に存在するマルチフィルムを巻き取るためのフィルム巻取装置を設けたことを特徴とするフィルム巻取機構付作物収穫機。
【請求項３】機体前部の地上高さを調整するためのゲージ輪を機体一側に備えると共に圃場に植えられた作物を走行しながら収穫するフィルム巻取機構付作物収穫機に於いて、圃場上に存在するマルチフィルムを巻き取るためのフィルム巻取装置を前記ゲージ輪の存在する側に設け、この際、フィルム巻取装置と、ゲージ輪の上下操作機構とは互いに干渉しないように上下配置されていることを特徴とするフィルム巻取機構付作物収穫機。
【発明の詳細な説明】
【０００１】
【発明が属する技術分野】本発明は、圃場に条植された作物を走行しながら収穫する作物収穫機を基礎としたフィルム巻取機構付作物収穫機に関するものである。
【０００２】
【従来の技術】作物を植え付けた土壌にマルチフィルム（以下、フィルムという）を被覆すると、地温や保水性が増すとともに、雑草の生育を抑制できる。このため、多くの作物は畝を形成してマルチ栽培されるが、作物を収穫するときにはこのフィルムを剥がさなければならない。生育した作物は、フィルムに形成された植付け孔から茎葉部が抜け出て根菜部は地中にある。このため、茎葉部を上方に引っ張るだけではこの植付け孔を破れない
比較的大きな根菜部を形成するもの（玉葱、大蒜等、以下、根菜作物という）では、フィルムの剥がしは、作業者が歩きながらフィルムを上方に引き剥がして行かなければならず（フィルムを横に引っ張れない）、多大な労力を強いられる。蓋し、フィルムの植付け孔より抜け出ている繁茂した茎葉部から抜き出す作業が必要となるからである。
【０００３】一方、茎葉部を上方に引っ張れば根菜部が植付け孔から抜け出る人参や大根等の比較的細長い根菜部を有する作物の収穫では、植付け孔を通して根菜部を引き抜いた（収穫した）後にフィルムを剥がせばよいから、作業者がその場に居て或いは歩きながらフィルムを手繰り寄せる（横に引っ張る）ような剥がし方ができる。従って、幾分かは楽であるが、この作業も面倒で労力を強いられる点は大して変わらない。このため、作物収穫機（以下、収穫機という）にフィルム巻取装置を備え、収穫と同時にフィルムを巻き取る方法が提唱されている（例えば、特開平１１−２８９８８５号）。
【０００４】
【発明が解決しようとする課題】しかし、作物の生育状態はまちまちである上、畝の状況及び収穫機の速度・姿勢は一様ではないため、収穫と同時にフィルムを巻き取るのはなかなかうまく行かない。そればかりではなく、一方にトラブルが発生すると、それが他方にも及んでその修復作業が手間取り、収穫能率を低下させる。本発明は、このような問題点を解決し得るものとしたフィルム巻取機構付作物収穫機を提供することを目的とするものである。
【０００５】
【課題を解決するための手段】上記目的を達成するため、本発明では次のようになす。即ち、請求項１に記載した発明では、機体の左右一側に収穫作業部への動力伝達を断続させるための操作レバーを有し、機体の走行中に、圃場に植えられた作物を収穫作業部で収穫するフィルム巻取機構付作物収穫機に於いて、圃場上に存在するマルチフィルムを巻き取るためのフィルム巻取装置を前記操作レバーの存在する側に設け、このフィルム巻取装置への動力伝達が収穫作業部から動力を伝達される構成となす。これによれば、フィルム巻取装置はこれと同じ側の操作レバーにより動力供給を便利に断続されるものとなる。
【０００６】また請求項２に記載した発明では、機体前部の地上高さを調整するためのゲージ輪を機体一側に備えると共に圃場に植えられた作物を走行しながら収穫するフィルム巻取機構付作物収穫機に於いて、前記ゲージ輪の存在しない機体他側に、圃場上に存在するマルチフィルムを巻き取るためのフィルム巻取装置を設けた構成となす。これによれば、ゲージ輪とフィルム巻取装置とが機体左右の同一の側に設ける場合に比べて、機体構造のバランスがよくなる。
【０００７】また請求項３に記載した発明では、機体前部の地上高さを調整するためのゲージ輪を機体一側に備えると共に圃場に植えられた作物を走行しながら収穫するフィルム巻取機構付作物収穫機に於いて、圃場上に存在するマルチフィルムを巻き取るためのフィルム巻取装置を前記ゲージ輪の存在する側に設け、この際、フィルム巻取装置と、ゲージ輪の上下操作機構とは互いに干渉しないように上下配置されている構成となす。これによれば、フィルム巻取装置は、ゲージ輪の上下操作機構の存在にも拘わらず、これと同じ側に存在し得るものとなる。
【０００８】
【発明の実施の形態】以下、本発明の実施の形態をマルチ栽培された玉葱を収穫する歩行形の収穫機にフィルム巻取装置を適用した場合について図面を参照して説明する。但し、玉葱は露地栽培されたものでもよいし、収穫機は乗用形であってもよいのは言うまでもない。図１は収穫機の全体側面図、図２は全体平面図、図３は収穫作業部の正面図、図４は同じく側面図、図５は同じく平面図であるが、全体は走行部と収穫作業部とからなっており、１は原動機、２はミッション、３はトレッド可変機構３００を有する左右横伝動ケース、４は左右ファイナルケース、５は左右の走行装置として機能する走行輪、６は操縦ハンドル、７はゲージ輪、８は分草装置、９は掻き込み装置、１０は挟持搬送装置である。ここに、走行部は機体を走行させるための機構であり、収穫作業部は作物を処理するためのもので走行部を除いた機構である。トレッド可変機構３００は原動機１等を同体状に固定される本体フレームの一部をなす固定側部位３０１に可動フレーム３０２を左右方向の出入り自在に装着し、適宜な左右向き伸縮駆動部３０３により可動フレーム３０２が左右駆動される構成としている。左右の走行輪５のうち、左側のものは固定側部位３０１に装着し、右側のものは可動フレーム３０２に装着している。ゲージ輪７は機体前部の地上高さを調整するためのもので、機体左側前部に配設されて機体左側上方に設けた前後向きの操作機構７００を回転操作することにより機体に対する上下位置が変化されるものとなしている。分草装置８は、タイン付きチェンが縦回りする分草タイン１１を有する分草ケース１２を後上がり傾斜状態で２条分横３列に装備して構成している。掻き込み装置９は、分草装置８の直後でこれと平行な後上がり傾斜状態で対向配置して駆動される左右一対の係止突起１３付き掻き込みベルト１４で構成している。挟持搬送装置１０は掻き込み装置９の直後でこれより緩い後上がり傾斜状態で対向配置して駆動される左右一対の無端回動帯１５で構成している。
【０００９】そして、根菜作物を４条栽培する畝Ｂ１に沿って機体を走行させながら、分草装置８で倒伏した茎葉部Ａ２を分草、引き起こして、２条の茎葉部Ａ２を１条毎に分離起立させ、その分離起立状態の２条の茎葉部Ａ２を掻き込み装置９で掻き寄せて１束にまとめ、その２条分１束の茎葉部Ａ２を挟持搬送装置１０前半部の一対の前部無端回動帯１５ａで挟持して、後上方に移送することにより、根菜部Ａ１を２条ずつ地中から引き引くもので、挟持搬送装置１０前半部を構成する前記一対の前部無端回動帯１５ａにて引抜部１６を構成している。
尚、図中１７は挟持搬送装置１０後半部を構成する前記一対の後部無端回動帯１５ｂにて構成し、切断後の茎葉部Ａ２を挟持移送する後搬送装置、１８は後搬送装置１７から切断後の茎葉部Ａ２を受け継いで谷側に横送りして放出する茎葉放出装置、１９は茎葉放出装置１８から放出された茎葉部Ａ２を地面に導く柔軟なゴム板から成る茎葉放出ガイド体である。
【００１０】図６は以上の各装置に動力を伝達する駆動系統図であるが、走行部をなす左右走行輪５及び収穫作業部をなす各装置８、９、１０、１８に原動機１動力を伝達するようになしてある。走行部の駆動系統では、原動機１の出力軸１ａをミッション２の入力部に連動連結し、左右横伝動ケース３に内装したミッション２の左右走行出力軸３ａを、左右ファイナルケース４に内装したチェン伝動機構４ａ及び左右サイドクラッチ２０を介して左右車軸２１に連動連結し、この左右車軸２１に軸支した左右走行輪５を回転駆動する。
【００１１】一方、収穫作業部の駆動系統では、前記ミッション４から作業クラッチ２３を介して前方に突出する作業出力軸２４を動力入力箇所としており、この作業出力軸２４を左右方向の作業入力軸２５に一対のベベルギヤ２６を介して連動連結し、又、作業入力軸２５に一対のウォーム２７及びウォームホイル２８を介して連動連結した挟持搬送駆動軸２９を上向きに突設し、その挟持搬送駆動軸２９に一対の無端回動帯１５の後部駆動プーリ軸３０をチェン伝動機構３１を介して連動連結し、一対の無端回動帯１５を所定方向に回転駆動する。
【００１２】この一対の無端回動帯１５の前部従動プーリ軸３２に一対の掻き込みベルト１４の上部駆動プーリ軸３３をチェン伝動機構３４を介して連動連結し、一対の掻き込みベルト１４を所定方向に回転駆動する。挟持搬送装置１０の畝Ｂ１中央側横外側で前後方向に延設される縦伝動軸３５の後端を作業入力軸２５の畝Ｂ１中央側端部に一対のベベルギヤ３６を介して連動連結させるとともに、分草タイン１１を取り付けるタイン付きチェン１１ａの上部駆動スプロケット軸３７の畝Ｂ１中央側端部に縦伝動軸３５の前端を連動連結させ、各分草ケース１２の分草タイン１１を回転駆動する。更に、茎葉放出装置１８は谷側の無端回動帯１５の後部駆動プーリ軸３０上に軸支されてこの無端回動帯１５と共に回転駆動する。さらに、２２は左右向き伸縮駆動部３００の操作ハンドルであり、このハンドル２２の回転操作により左右の走行輪５の間隔（トレッド）が変更される。また作業クラッチ２３を断続させるための操作レバー２３０は操縦ハンドル６の右側の前後向き部材に固定されている。
【００１３】本例の収穫機は、マルチ栽培された根菜作物Ａを収穫することは前述したが、このため、上記した収穫機の通常構造の他に、マルチ栽培用の、茎葉部切断装置３９、搬送装置４０、補助搬送装置４１、掘取刃４２、フィルムカッター４３、デバイダ４４、フィルム押え体４５等を収穫作業部の一部として装備し、フィルム栽培の根菜部Ａ１を収穫するマルチ仕様構造を構成するものである。
【００１４】茎葉部切断装置３９は、引抜部１６の下方に配置して、地中から引き抜かれた根菜部Ａ１の茎葉部Ａ２をその根元部で切断するものであり、本例では、これを円盤刃４７で構成している。この円盤刃４７は、後述するスラシ板４８を取り付ける受板５０の後部に軸受７０を設け、この軸受７０に水平面内で回転可能に軸支されている。この場合の円盤刃４７は、山と谷からなる鋸刃が好ましく、これを受板５０から若干上方に離して設けている。円盤刃４７の受板５０を外れた後部には、カッター駆動ロッド６４を連結した自在継手７１を設けている。このカッター駆動ロッド６４は、押引運動されるものであり、これによって円盤刃４７は揺動運動させられるものとなる。
【００１５】搬送装置４０は、引抜部１６の一対の無端回動帯１５ａと、その一対の無端回動帯１５ａの下方に後部が無端回動帯１５ａから離れるようにこれに対して傾斜状態に配置する左右一対のガイド部材である合成樹脂製のスラシ板４８とからなり、茎葉部Ａ２の下部を一対のスラシ板４８間で誘導案内しながら、その茎葉部Ａ２の上部を一対の無端回動帯１５ａによって挟持移送することにより、地中から引き抜かれた根菜部Ａ１をその上面を一対のスラシ板４８の下面に当てた状態で後方に搬送するもので、その搬送装置４０の一対の無端回動帯１５ａと一対のスラシ板４８後部との間に前記茎葉部切断装置３９を配置している。
【００１６】又、前記一対のスラシ板４８は、左右に２組設けると共に、平面視逆Ｖ字又はＵ字状の分草ガイド４９を設け、その分草ガイド４９の後端部を各組の内側のスラシ板４８に取り付け、前端曲げ部を一対の掻き込みベルト１４間の下端側直後部位に延設し、左側の条の茎葉部Ａ２を右側のスラシ板４８間に受け入れたり、右側の条の茎葉部Ａ２を左側のスラシ板４８間に受け入れるのを分草ガイド４９で阻止して、各組のスラシ板４８間に１条ずつ別々に茎葉部Ａ２を受け入れるように構成している。尚、分草ガイド４９の前部を上方に反り上げてフィルムＭを破らない形状としている。
【００１７】更に、２組のスラシ板４８を下面に取り付け、且つ、上面後部に円盤刃４７を組み付ける受板５０を設け、その受板５０に各組のスラシ板４８間に形成する茎葉搬送経路に対応する左右一対の誘導溝５１を設けている。尚、各組のスラシ板４８の内側のスラシ板４８は一体構成とし、左と右と中央の３板のスラシ板４８で一対のガイド部材を２組設けるようにしている。この場合、誘導溝５１の終端は、共に円盤刃４７の回転軌跡内へ入り込ませており、誘導溝５１に誘導されて来た茎葉部Ａ２は、円盤刃４７で確実に切断されるようになっている。又、受板５０には、誘導溝５１の終端に向かうほどその溝幅を漸小させる誘導杆７２も設けられている。
【００１８】補助搬送装置４１は、前記搬送装置４０の一対の無端回動帯１５ａと一対のスラシ板４８との間で前記茎葉部切断装置３９より上側に、スラシ板４８と平行状態又は略平行状態で対向配置して駆動される左右一対の係止突起５２付き掻き込みベルト５３からなり、前記搬送装置４０によって後方茎葉部切断装置３９に搬送される茎葉部Ａ２を後方茎葉部切断装置３９に掻き込むもので、その補助搬送装置４１の送り速度を、前記搬送装置４０の一対の無端回動帯１５ａによる茎葉部Ａ２の挟持移送速度より高速に設定している。
【００１９】掘取刃４２は、１本構成とし、引抜部１６の前端部下方で２条分の土を掘り起す長さを有する刃部４２ａと、その刃部４２ａの畝Ｂ１中央側端部で立ち上げて地上に突出させる縦アーム部４２ｂとからなり、その縦アーム部４２ｂを前後揺動支点軸５４に回転自在に軸支させるとともに、縦アーム部４２ｂに前後方向の往復運動を与えることにより、掘取刃４２を前後方向に揺動させるように構成している。尚、掘取刃４２の縦アーム部４２ｂは、畝Ｂ１の中央側端部で立ち上げてもよいし、谷側端部で立ち上げてもよい。この場合、クランク６１とクランク６５からの動力伝動が掘取刃４２と茎葉部切断装置３９とで入れ替わる。
【００２０】フィルムカッター４３は、前記した掘取刃４２の縦アーム部４２ｂの直前で下部を地面に直角或いは略直角に食い込ませるように、その縦アーム部４２ｂに取り付ける円盤状の回転刃であり、フィルムカッター４３を畝Ｂ１との転がり接触で自転させながら、掘取刃４２の前後揺動で前後揺動させて畝Ｂ１中央部でフィルムＭを長さ方向に連続的に切断し、そのフィルムＭを二分割して行き、その切目から掘取刃４２の縦アーム部４
２ｂを地中に差し込むように構成している。この場合、フィルムカッター４３は縦アーム部４２ｂに取り付けられているので、谷側にこれが設けられた場合には、フィルムＭは三分割されることになる。
【００２１】デバイダ４４は、分草装置８の各分草ケース１２の前方下方で、倒伏して絡み合った状態の茎葉部Ａ２をすくい上げて分草タイン１１の作用範囲に誘導する平棒状のデバイダ本体５５と、そのデバイダ本体５５を分草ケース１２に取り付けるデバイダ取付けフレーム５６とからなっている。又、デバイダ本体５５は、フィルムＭに摺接する前部のフィルム押え部５５ａと、その押え部５５ａの後端から分草タイン１１先端の下部回行軌跡までに後上り傾斜状態で延設する誘導部５５ｂとで構成してある。
【００２２】フィルム押え体４５は、中央の分草ケース１２に前部を取り付けてこの分草ケース１２の下方から後方茎葉部切断装置３９の下方に接地状態で延設する第１押え棒５７ａと、畝Ｂ１中央側の分草ケース１２に前部を取り付けてこの分草ケース１２の下方から後方茎葉部切断装置３９の下方に接地状態で延設する第２押え棒５７ｂとからなり、これら第１及び第２押え棒５７ａ、５７ｂによって、分草装置８部から茎葉部切断装置３９部に亘る収穫条の条間のフィルムＭと畝Ｂ１中央側の条外側のフィルムＭを畝Ｂ１に押し付け、分草タイン１１及び一対の掻き込みベルト１４の係止突起１３でフィルムＭを引っ掛けるのを防止している。尚、収穫条の谷側の条の外側のフィルムＭはその更に外側の法面や谷部で覆土されているため、押え体４５は設けていない。
【００２３】又、各押え棒５７ａ、５７ｂの前部を上方に反り上げてフィルムＭを破らない形成にするとともに、その反り上げ部５８ａ、５８ｂを、分草タイン１１が下部回行途中で下向き回動から上向き回動になるときのその下部回行経路真横位置で、分草タイン１１の作用範囲内に立ち上げ、分草タイン１１が下向き回動している間の作用を無くし、分草タイン１１でフィルムＭを引っ掛けるのを防止している。
【００２４】茎葉部切断装置３９、掘取刃４２及び補助搬送装置４１へは原動機１動力を伝達するもので、前記作業入力軸２５の谷側端部にクランク６１を設け、そのクランク６１にクランクロッド６２及びＬ形リンク６３を介してカッター駆動ロッド６４を連動連結し、円盤刃４７を駆動する。一方、前記作業入力軸２５の畝Ｂ１中央側端部にクランク６５を設け、そのクランク６５にクランクロッド６６を介して掘取刃４２を連動連結し、その掘取刃４２を駆動する。又、一対の無端回動帯１５の前部摺動プーリ軸３２にチェン伝動機構３４を介して連動連結する補助搬送駆動軸６７を設け、その駆動軸６７に増速用のチェン伝動機構６８を介して一対の掻き込みベルト５３の後部駆動プーリ軸６９を連動連結し、一対の掻き込みベルト５３を一対の無端回動帯１５よりも高速で所定方向に回転駆動する。
【００２５】以上の収穫機でフィルム栽培された根菜作物を収穫した場合、挟持搬送装置１０で茎葉部Ａ２を引き抜き、茎葉部切断装置３９で切断する間も、根菜部Ａ１はフィルムＭを押し上げるものの、常にその下に存在している。従って、茎葉部Ａ２から切り離された根菜部Ａ１が落下したとき、フィルムＭはこの上に被さった状態で圃場上にある。但し、その孔から茎葉部Ａ２は切断されて抜き取られている。本発明に係るフィルム巻取装置は、このようなフィルムＭを巻き取るものである。そこで、このフィルム巻取装置について説明する。
【００２６】このフィルム巻取装置７５は、フィルムＭを手繰り寄せて巻き取る巻取リール７６を有するもので、本例では、この巻取リール７６を挟持搬送装置１０で駆動するものを示している。このうち、図１〜図３に示すものはその第一例であり、巻取リール７６を挟持搬送装置１０の側方に取り付けて垂直面内で回転させるものである。図７は巻取リール７６への動力伝達を示す要部の正面断面図であるが、挟持搬送装置１０を構成する無端体１５ｂを巻き掛ける後部プーリ７７を駆動する後部プーリ軸３０を無端体１５ｂのカバー７８から覗かせ、後部プーリ軸３０の動力をカバー７８に固定される伝動構造７９で９０°向きを変更して引き継ぐ。
【００２７】伝動構造７９からは伝動軸８０が側方に突出しており、一方ではスプライン嵌合８３ａによる伸縮自在となされた駆動軸８３を、可動フレーム３０２に固定されたブラケット８１や、本体フレーム３０１と同体状部位に固定されたブラケット８１ａ等により機体に支持された一対の内外筒部材８２ａ、８２ｂからなる伸縮式ハウジング筒８２に内挿して、このハウジング筒８２の両側に一定寸法だけ駆動軸８３の両端が突出する構造となし、この駆動軸８３の一端を伝動軸８０にピン８４等で連結し、他端に巻取リール７６を取り付けるのである。この場合の巻取リール７６は、内側ディスク８５と外側ディスク８６とからなり、その中心には心棒８７が、適当な径の個所には複数の巻取杆８８が渡されている。本例の場合、心棒８７は内側ディスク８５と一体となっており、巻取杆８８は外側ディスク８６に取り付けられている。そこで、心棒８７を駆動軸８３に嵌め込み（このとき、駆動軸８３と心棒８７とはキーやスプライン構造８９で動力が伝達されるようになっている）、次いで外側ディスク８６を駆動軸８３にあてがってネジ９０等で締め付ければ、巻取リール７６の組付けは終了する。このとき、巻取杆８８も内側ディスク８５に渡される必要があるから、内側ディスク８５の内面の所定個所にピン９１等を突設しておき、このピン９１に巻取杆８８の先端を挿入する。
【００２８】以上のフィルム巻取装置７５によるフィルムＭの巻取りについて説明すると、これから巻き取ろうとするフィルムＭが存在する畝Ｂ１に収穫機を移動させる。この際、収穫機はフィルムＭが機体の後方へ向けて長く存在した状態に位置させるのがよい。また左右の各走行車輪５はトレッド可変機構３００を操作する等して畝Ｂ１の左右にある溝内に位置される。
【００２９】そして，フィルムＭの端を巻取杆８８に巻き付け、次に機体に対し図２に示すように作業者Ｓａが操縦ハンドル６の右横に立ち、一方の手で操作レバーを操作して、収穫作業部の挟持搬送装置１０を駆動し、巻取リール７６を回転させると、フィルムＭは巻取杆８８で巻き取られることになる。このときのフィルムＭは、前記したように縦長に切断されていて巻取リール７６の幅よりは小さいから、作業者Ｓａは、巻き取られて行く
マルチＭを他方の手で支えながら内側ディスク８５と外側ディスク８６との間にやりとりすることで、一様な厚さでフィルムＭが巻き取れる。尚、この作業は、収穫機を停止させて行うのが通常であるが、移動させながら行ってもよい。以上のフィルムＭは、この収穫機で収穫された（掘り起こされた）根菜部Ａ１の上に被さっているものであるが、これに限らず、作物Ａが抜き取られた後に畝Ｂ１上に存在しているもの或いはこれらとは無関係
に圃場上に存在しているものであってもよい。
【００３０】フィルムＭの巻取りが終了すると、巻取リール７６の回転を止め、ネジ９０等を操作して外側ディスク８６を外す。このとき、フィルムＭは巻取杆８８に強く巻き付いているが、巻取杆８８を外側ディスク８６の近くに設けられる屈曲点９２を中心に径小方向に屈曲できるようにしておけば、巻取杆８８をピン９１から外すとこの動作をすることになり、フィルムＭは巻取杆８８から容易に外れる。収穫機が本来の収穫作業をするときには、このフィルム巻取装置７５の存在が邪魔になるから、このときは、このフィルム巻取装置７５を取り外しておく（邪魔にならない場合はそのままでもよい）。具体的には、巻取リール７６や駆動軸８３を取り外しておくが、伝動軸８０が露出して危険であるような場合は適当なキャップで蓋をしておけばよい。
【００３１】図８はフィルム巻取装置７５の第二例を示す収穫機の側面図、図９は動力伝達を示す要部の側面断面図であるが、本例のものは、前記した構造の巻取リール７６を挟持搬送装置１０の上方に取り付け、その傾斜平面内で回転させるものである。このため、後部プーリ軸３０をカバー７８から若干突出させておき、これに内側ディスク８５と一体となった心棒８７を挿入し、ピン９３等によって固定した後外側ディスク８６を心棒８７
に当てて固定する。フィルムＭの巻取りは前記と同じであり、この場合、巻取リール７６は前低後高の傾斜平面内で回転することになるが、巻取りに支障はない。尚、このときの収穫機は畝Ｂ１と直角に位置させることになり、従って、巻取り中は収穫機は動かさない。本例のものは、後部プーリ軸３０を若干上方に延長し、巻取リール７６をこの後部プーリ軸３０に着脱するだけであるから、動力伝達構造等が簡単であり、かつ、取付け、取外
し操作が簡単な利点がある。又、巻取リール７６を取り外したときに後部プーリ軸３０が突出して危険であるときには、適当なキャップを被せておけばよいのは前記と同じである。
【００３２】次に上記した本発明に係る作物収穫機の変形例について説明する。
ａ）フィルム巻取装置はゲージ輪の存在する側に設けることもできるのであり、この場合は、フィルム巻取装置と、ゲージ輪の上下操作機構とは互いに干渉しないように上下配置する。
ｂ）本体フレームと同体状部位にフィルム巻取装置の巻取リールを装着することも差し支えないのであり、この場合は、駆動軸やハウジング筒は機体左右方向の伸縮可能となす必要がなくなる。
ｃ）フィルム巻取装置を前記掻き込み装置の上方及び又は側方に設けることも差し支えないのであり、この場合はフィルム巻取装置に掻き込み装置から動力を伝達するのがよい。
ｄ）フィルム巻取装置を前記分草装置の上方及び又は側方に設けることも差し支えないのであり、この場合はフィルム巻取装置に分草装置から動力を伝達するのがよい。
ｅ）フィルム巻取装置を前記原動機の上方及び又は側方に設けることも差し支えないのであり、この場合はフィルム巻取装置に分草装置から動力を伝達するのがよい。
【００３３】
【発明の効果】以上、本発明に係るフィルム巻取装置は、フィルムを手繰り寄せるように巻き取るものであるから、定点に止まって或いは非収穫走行をしながら、フィルムのみを巻き取ることになり、確実な作動が期待できる。一方、このフィルム巻取装置は収穫機に対して取外しが可能であるから、こうすることで、収穫機本来の働きもし、いわば、一台で二台の働きをする多機能を持つものになる。
【図面の簡単な説明】
【図１】本発明の一例を示す作物収穫の全体側面図である。
【図２】本発明の一例を示す作物収穫の全体平面図である。
【図３】本発明の一例を示す作物収穫の収穫作業部の正面図である。
【図４】本発明の一例を示す根菜作物収穫の収穫作業部の側面図である。
【図５】本発明の一例を示す根菜作物収穫の収穫作業部の平面図である。
【図６】本発明の一例を示す駆動系統図である。
【図７】本発明の一例を示すフィルム巻取装置の要部の断面図である。
【図８】本発明の他の一例を示す作物収穫機機の全体側面図である。
【図９】本発明の他の一例を示すフィルム巻取装置の要部の断面図である。
【符号の説明】
Ａ    作物
Ａ１  茎葉部
Ａ２  根菜部
Ｂ１  畝
Ｍ    フィルム
１０  挟持搬送装置
２３  作業クラッチ
２３０  操作レバー
７００  上下操作機構
７５  フィルム巻取装置
７６  巻取リール
８５  内側ディスク
８６  外側ディスク
８７  心棒
８８  巻取杆
９２  屈曲点